(57)【要約】      （修正有）【課題】内部空間のレイアウトを簡易化し、故障の発生率を抑制し、メンテナンスの難易度を低減させる玩具銃の遊底スライド構造を提供する。【解決手段】玩具銃の銃身の一方の側に摺動自在に設ける遊底本体１と、該遊底本体と該銃身との間に着脱自在に設ける弾丸推進部材と、該弾丸推進部材の一方の側に形成し、高圧の気体の出入力に供する高圧気体口２２と、該弾丸推進部材の前端部に形成する排気口２３と、を設け、該排気口を閉鎖して高圧の気体の流れる方向を変更するバルブ部材と、高圧の気体を入力する場合に該遊底本体を推進するピストン１２と、該遊底本体の一方の側に設ける摺動桿体４と、該摺動桿体上に嵌設する第１弾性部材４１と、該遊底本体の一方の側において、該摺動桿体が着脱自在に挿入され、かつ該第１弾性体に抵触する遊底スリーブ５と、該遊底スリーブ上に形成され、該弾丸を連動させて移動させる少なくとも１以上の抵触部と、を含む。【選択図】図４
0003223638.tif 000002
【実用新案登録請求の範囲】
【請求項１】
玩具銃内において、該玩具銃の銃身の一方の側に摺動自在に設ける遊底本体と、
該遊底本体と該銃身との間に着脱自在に設ける弾丸推進部材と、
該弾丸推進部材の一方の側に形成し、該弾丸推進部材からの高圧の気体の出入力に供する高圧気体口と、
該弾丸推進部材の前端部に形成する排気口と、
該弾丸推進部材上に設け、該排気口を閉鎖して高圧の気体の流れる方向を変更するバルブ部材と、
該遊底本体内に形成し、高圧の気体を入力する場合に該遊底本体を推進するピストンと、
該玩具銃上であって、かつ該遊底本体の一方の側に設ける摺動桿体と、
該摺動桿体上に嵌設する第１弾性部材と、
該遊底本体の一方の側において、該摺動桿体が着脱自在に挿入されるように設けられ、かつ該第１弾性体に抵触する遊底スリーブと、
該遊底スリーブ上に形成され、該遊底本体が後方に移動する場合に該弾丸を連動させて移動させる少なくとも１以上の抵触部と、を含んでなることを特徴とする玩具銃の遊底スライド構造。
【請求項２】
前記玩具銃に、該摺動桿体の固定に供するリヤストッパーブロックを設けることを特徴とする請求項１に記載の玩具銃の遊底スライド構造。
【請求項３】
前記玩具銃に、該遊底スリーブの一方の側に位置し、該遊底スリーブのリバウンドの動作を制限するフロントストッパーブロックを設けることを特徴とする請求項１に記載の玩具銃の遊底スライド構造。
【請求項４】
前記バルブ部材が、該弾丸推進部材内に設けるバルブバネと、該バルブバネの一方の側に設ける可動部材と、可動部材の該バルブバネ側とは逆の側に形成する気密部と、及び該可動部材上に形成されて該高気圧気体口と該排気口とを連通させるために供する少なくとも１以上の通過孔部とを具えてなることを特徴とする請求項１に記載の玩具銃の遊底スライド構造。
【請求項５】
。
前記弾丸推進部材内に、該気密部に当接して位置の制限を行なう位置制限部を具えることを特徴とする請求項４に記載の玩具銃の遊底スライド構造。
【請求項６】
前記遊底スリーブが、該第１弾性部材の一方の側に位置して該弾丸推進部材を前方に推しだす第２弾性部材を具えることを特徴とする請求項１に記載の玩具銃の遊底スライド構造。
【請求項７】
前記弾丸推進部材が少なくとも１以上の連動端を具え、
該遊底本体の一方の側に少なくとも１以上の連動溝が形成され、
該連動溝に該連動端が収納されて前方に向かって推されて移動することを特徴とする請求項１に記載の玩具銃の遊底スライド構造。
【請求項８】
該銃身の後端部であって、かつ該弾丸推進部材の一方の側に位置する部分にチャンバーを形成し、かつ該チャンバーの一方の側に弾丸通路を形成することを特徴とする請求項１に記載の玩具銃の遊底スライド構造。
【考案の詳細な説明】
【技術分野】
【０００１】
この考案は玩具銃に関し、特に往復運動を行なう摺動桿体と往復運動を行なう弾性体とを玩具銃本体の外部に設けて玩具銃本体内の構造、部材の組合せが簡易化されるように空間をレイアウトした玩具銃の遊底スライド構造に関する。
【背景技術】
【０００２】
目下、玩具銃はユーザーが使用上面白みを感じるように、本物の銃に近いリアルな機能を具えている。だが、弾丸推進手段の設計は、構造の簡易化と、連動の安定性が最も重要な課題として求められていて、係る課題を解決することで、ユーザーが満足できる射撃のための動作を提供している。
【０００３】
但し、従来の弾丸推進手段は、構造が複雑であるのみならず、従来の弾丸推進手段を装着した場合、銃身がかなり大きくなる。このため、ユーザーが手で操作するには扱いにくくなる。また、従来の弾丸推進手段は複数の桿体を連結してなるが、実際に使用する場合には作動が不安定になる情況が常に発生する。また、連結した桿体は安全性と設計上の便宜を図るために遊底内部に設けるように設計される。但し、係る構造は内部構造が複雑になり、しかも容易に損壊し、メンテナンスも難しくなる。
【考案の概要】
【考案が解決しようとする課題】
【０００４】
この考案は、遊底本体の内部構造と、及び内部空間のレイアウトを簡易化し、故障の発生率を抑制し、メンテナンスの難易度を低減させる玩具銃の遊底スライド構造を提供することを課題とする。
【課題を解決するための手段】
【０００５】
この考案による玩具銃の遊底スライド構造は、玩具銃内において、該玩具銃の銃身の一方の側に摺動自在に設ける遊底本体と、該遊底本体と該銃身との間に着脱自在に設ける弾丸推進部材と、該弾丸推進部材の一方の側に形成し、該弾丸推進部材からの高圧の気体の出入力に供する高圧気体口と、該弾丸推進部材の前端部に形成する排気口と、該弾丸推進部材上に設け、該排気口を閉鎖して高圧の気体の流れる方向を変更するバルブ部材と、該遊底本体内に形成し、高圧の気体を入力する場合に該遊底本体を推進するピストンと、該玩具銃上であって、かつ該遊底本体の一方の側に設ける摺動桿体と、該摺動桿体上に嵌設する第１弾性部材と、該遊底本体の一方の側において、該摺動桿体が着脱自在に挿入されるように設けられ、かつ該第１弾性体に抵触する遊底スリーブと、該遊底スリーブ上に形成され、該遊底本体が後方に移動する場合に該弾丸を連動させて移動させる少なくとも１以上の抵触部と、を含んでなる。
【０００６】
上述する玩具銃の遊底スライド構造を具える玩具銃は、ユーザーが毎回射撃を行なう前に高圧の気体が高圧気体口から玩具銃内に進入して排気口の方向に流れる。この瞬間、バルブ部材に負圧の効果が発生して気体の流動する方向に移動する。このため排気口を閉鎖して、気体がピストンを推進させ、且つ遊底本体を後方に移動させる。遊底本体が後方に移動すると同時に遊底スリーブが摺動桿体上の第１弾性部材を圧縮して弾性力が蓄積されるとともに、遊底スリーブが所定の距離だけ移動すると、抵触部が弾丸推進部材に抵触し、弾丸推進部材も後方に引っ張られて移動する。この場合、ＢＢ弾は弾丸推進部材を避けて銃身の一方の側に進入し、高圧気体口と高圧気体の連通経路が切断される、次いで第１弾性部材の弾性力が遊底スリーブを推すと、弾丸推進部材が連動してＢＢ弾を推してチャンバーに進入させ、ユーザーが引き金を引ける状態となる。
【０００７】
上述するように、この考案においては遊底本体の往復運動に連動する摺動桿体と、第１弾性部材を遊底本体外部に設けたことによって、遊底本体は従来の往復運動を行なう機能を具え、同時に遊底本体内部の構造と空間のレイアウトが簡易化され、このため故障率が抑制され、メンテナンスの難度が低減する。
【図面の簡単な説明】
【０００８】
【図１】この考案における玩具銃の外観を示した斜視図である。
【図２】この考案による遊底本体の構造を示した説明図である。
【図３】図２に開示する遊底本体を分解した状態を示した説明図である。
【図４】図２に開示する構造の一部を拡大した説明図である。
【図５】この考案におけるバルブ部材の動作を示した説明図である。
【図６】この考案におけるピストンの動作を示した説明図である。
【図７】この考案における弾丸推進部材の動作を示した説明図である。
【図８】この考案における弾丸推進部材の動作を示した他の説明図である。
【図９】この考案における遊底本体の動作を示した説明図である。
【図１０】この考案における圧力抜きの動作を示した説明図である。
【図１１】この考案における玩具銃の弾丸発射の動作を示した説明図である。
【図１２】この考案における玩具銃の弾丸発射の動作を示した他の説明図である。
【考案を実施するための形態】
【実施例】
【０００９】
図１から図４に開示するように、この考案による玩具銃の遊底スライド構造は、遊底構造部１００を具え、遊底構造部１００は、玩具銃６内に連結して設けられる遊底本体１を具える。遊底本体１は、玩具銃６の銃身６１の一方の側に摺動自在に設ける。また、玩具銃６は、銃身６１の後端部であって、かつ後述する弾丸推進部材２の一方の側に位置する部分をチャンバー６２とするとともに、チャンバー６２の一方の側に弾丸通路６３を形成する。
【００１０】
また、遊底構造部１００は、遊底本体１と銃身６１との間に着脱自在に設ける弾丸推進部材２を具える。弾丸推進部材２は少なくとも１以上の連動端２１を具え、かつ遊底本体１の一方の側に、連動端２１を前方に推進するために供する少なくとも１以上の連動溝１１を具える。
【００１１】
また、遊底構造部１００は、弾丸推進部材２の一方の側を高圧気体口２２とし、高圧気体口２２は、弾丸推進部材２からの高圧の気体の出入力に供する。
【００１２】
また、遊底構造部１００は、弾丸推進部材２の前端部を排気口２３とする。
【００１３】
また、遊底構造部１００は、弾丸推進部材２上に設けるバルブ部材３を具える。バルブ部材３は排気口２３を閉鎖して高圧の気体の流れる方向を変更する。また、バルブ部材３は弾丸推進部材２内に設けるバルブバネ３１と、バルブバネ３１の一方の側に設ける可動部材３２と、可動部材３２のバルブバネ３１側とは逆の側に形成する気密部３３と、及び可動部材３２上に形成し、高気圧気体口２２と排気口２３とを連通させるために供する少なくとも１以上の通過孔部３４とを具えてなる。
【００１４】
また、遊底構造部１００は、弾丸推進部材２内に、気密部３３への当接に供する位置制限部２４を形成する。
【００１５】
また、遊底構造部１００は、遊底本体１内に形成するピストン１２を具える。ピストン１２は、高圧の気体を入力する場合に、遊底本体１を推進する。
【００１６】
また、遊底構造部１００は、玩具銃６上であって、かつ遊底本体１の一方の側に設ける摺動桿体４を具える。
【００１７】
また、遊底構造部１００は、摺動桿体４上に嵌設する第１弾性部材４１を具える。
【００１８】
また、遊底構造部１００は、遊底本体１の一方の側において、摺動桿体４が着脱自在に挿入されるように設けられ、かつ第１弾性体４１に抵触する遊底スリーブ５を具える。
【００１９】
また、遊底構造部１００は、遊底スリーブ５上に形成され、遊底本体１が後方に移動する場合に弾丸を連動させて移動させる抵触部５１を具える。
【００２０】
別途、玩具銃６上には摺動桿体４の固定に供するリヤストッパーブロック６４と、遊底スリーブ５の一方の側に位置し、遊底スリーブ５が弾丸を戻す動作を制限するフロントストッパーブロック６５とを具え、遊底スリーブ５上には第１弾性部材４１の一方の側に位置する第２弾性部材５２を具え、第２弾性部材５２は弾丸推進部材２に対して前方に向かって抵触する。
【００２１】
図１から図１２に開示するように、この考案の特徴は摺動桿体４と第１弾性部材４１とを遊底本体１の外部に設けたことにあるが、但し、玩具銃６の外観について述べれば、は摺動桿体４と第１弾性部材４１とが外部に露出することはなく、操作上、もしくは外観について玩具銃６本来の特性を保持している。
【００２２】
実際に操作する場合、ユーザーが毎回射撃を行なった後、ガスボンベに連結する高圧気体口２２が継続して高圧の気体を導入する。この場合、弾丸推進部材２の前端の排気口２３はＢＢ弾によって遮蔽されていなく、銃身６１に連通している。よって、高圧の気体はバルブ部材３の通過孔部３４から進入して銃身６１の方向に向かって流れる。高圧の気体が高速で流動するにつれて負圧発生の効果が発生し、このため弾丸推進部材２内の高圧の気体が気密部３３を推進し、可動部材３２が連動して前方に移動する（即ち銃口の方向に向かって移動する）。よって、バルブバネ３１が圧縮されて力が蓄えられ、さらに気密部３３が高圧気体口２２と排気口２３との連絡通路が閉鎖される(図５参照)。
【００２３】
バルブ部材３が排気口２３を閉鎖した後、高圧の気体は弾丸推進部材２内に継続して流入する。このため高圧の気体は流れる方向が変わり、ピストン１２に向かって流れる。このため高圧の気体によってピストン１２と遊底本体とが同時に連動して後方に移動する。弾丸推進部材２は連動端２１のみが遊底本体１の連動溝１１内に挿入される。よって、遊底本体１が後方に移動する場合に弾丸推進部材２が連動して後方に移動することはない。この場合、同時に遊底本体１の遊底本体１の一方の側に設けられた遊底スリーブ５が、遊底本体１上方の摺動桿体４に被さった状態になっているため、遊底本体１が後方に移動すると同時に第１弾性部材４１に対して圧縮を行なう（図６参照）。実施例において摺動桿体４は、玩具銃６上のリヤストッパーブロック６４に固定されることによって、遊底スリーブ５との摺動桿体４とが平行した状態を維持し、かつ円滑な移動を確保することができる。リヤストッパーブロック６４を用いる方式は、実施例で例示した方式に過ぎず、摺動桿体４の固定方式を係る方式に限定することはしない。
【００２４】
ピストン１２と、遊底本体１と、遊底スリーブ５とが継続して後方に移動する過程において、第１弾性部材４１を継続して圧縮するのみならず、遊底スリーブ５が予定の距離だけ後方に移動すると、抵触部５１は弾丸維新部材２に抵触する（実施例における弾丸推進部材２上には、抵触部５１対応する抵触ブロック２５を具える、但し、抵触部５１が弾丸推進部材２を連動させる方式は、係る方式に限定しない）。このためは弾丸維新部材２と遊底スリーブ５とが同時に後方に向かって移動する（図７参照）。
【００２５】
弾丸推進部材２が後方に向かって移動すると、弾丸通路６３にＢＢ弾を入力する空間が形成され、ＢＢ弾が弾丸推進部材２の本来の位置に進入するとともに、チャンバー６２の一方の側に一時的に留まる。さらに、ピストン１２と、遊底本体１と、遊底スリーブ５と、弾丸推進部材２とが継続して後方に移動する過程において、弾丸推進部材２の後方への移動によって高気圧気体口２２とガスボンベとが連通する経路が切断されるが、但し、遊底本体１は慣性によって継続して後方に移動する。係る遊底本体１の移動は、該慣性が第１弾性部材４１の弾性力よりも小さくなるまで継続する（図８参照）。
【００２６】
次いで、第１弾性部材４１が不勢力によって遊底スリーブ５を推す際の弾性力によって、遊底本体１とピストン１２とが前方に推進される。この場合、バルブ部材３とピストン１２との空間に高圧の気体がすでに充満しているため、ピストン１２の前方に移動する力が不足し、該空間をさらに圧縮しなくなる。このため高圧気体を圧縮する動作が弾丸推進部材２に対して作用し、弾丸推進部材２前方に移動させる効果が発生する。よって、弾丸推進部材２の前端がＢＢ弾を押出し、かつ該ＢＢ弾は押出されてチャンバー６２内に至る（図９参照）。
【００２７】
弾丸推進部材２が前方に移動する動作によって、高圧気体口２２が再びガスボンベに連通し、かつこの場合弾丸推進部材２内の気体の圧力が外部に比して大きくなる。よって、弾丸推進部材２内の高圧の気体の圧力が高圧気体口２２の位置から漏れる。係る圧力抜きの動作によって弾丸推進部材２内の気体の圧力がバルブバネ３１に蓄えられた弾性力と第１弾性部材の弾性力より小さくなり、このためバルブ部材３と、遊底本体１と、ピストン１２とが初期の位置に復帰して、自動弾丸装填の動作を完成させる（図１０参照）。
【００２８】
別途、実施例においては遊底スリーブ５の一方の側にフロントストッパーブロック６５を設け、遊底スリーブ５の反動のリバウンドを制限する。同時に遊底スリーブ５のリバウンドに対する緩衝の効果が提供される。但し、フロントストッパーブロック６５を用いる方式は、実施例で例示した方式に過ぎず、遊底スリーブ５の位置を制限する方式を係る方式に限定することはしない。バルブ部材３のリバウンドの動作は、弾丸推進部材２内の位置制限部２４によってバルブ部材３の過度のリバウンドを防ぐ。実施例においては、位置制限部２４はピンの両端を弾丸推進部材２の壁面上に挿設してなる。但し、係る位置制限部２４を設ける方式は、実施例で例示した方式に過ぎず、バルブ部材３の位置を制限する方式を係る方式に限定することはしない。
【００２９】
上述する動作によって、発射前の準備が完成し、ユーザーが引き金を引くだけで高圧の気体が再度高圧気体口２２から入力し、発射の動作が完成する。具体的に述べれば、高圧の気体が再度進入する場合、チャンバー６２内にはすでに一つのＢＢ弾が存在し、かつ該ＢＢ弾が排気口２３と銃身６１との間の連通経路を塞ぐため、入力された高圧の気体はピストン１２の位置のみに向かって移動する。よって、遊底本体１が連動して後方に移動し、かつ同様に遊底スリーブ５が第１弾性部材４１を圧縮して弾性力が蓄えられて、さらに高圧の気体の入力が中止すると、第１弾性部材４１の弾性力で遊底本体１がリバウンドする。この場合、遊底本体１は連動溝１１を形成した部分が弾丸推進部材２の連動端２１にぶつかって押し出す。このため弾丸推進部材２が力を受けてチャンバー６２内に位置するＢＢ弾にぶつかり、発射の動作を完成させる。発射した後は、上述の動作を繰り返して自動的に弾丸を装填し、射撃のスタンバイ状態となる（図１１、１２参照）。
【００３０】
別途、チャンバー６２内にＢＢ弾が存在する場合に、過度の量の気体が入力してピストン１２の移動の幅が大きくなりすぎ、弾丸推進部材２の連動端２１から離れてしまうことを防ぐために、遊底スリーブ５上の第１弾性部材４１の一方の側に別途第２弾性部材５２を設けてもよい（第２弾性部材５２は、弾性係数が第１弾性部材４１より小さい）。この場合、遊底スリーブ５が移動すると同時に、第２弾性部材５２による連動端２１を推進する効果を利用してピストン１２と連動端２１とのピッチを維持し、ピストン１２の脱離を防ぐ（図３参照）。
【符号の説明】
【００３１】
１        遊底本体
１００    遊底構造部
１１        連動溝
１２        ピストン
２        弾丸推進部材
２１        連動端
２２        高圧気体口
２３        排気口
２４        位置制限部    
２５        抵触ブロック
３        バルブ部材
３１        バルブバネ
３２        可動部材
３３        気密部
３４        通過孔部
４        摺動桿体
４１        第１弾性部材
５        遊底スリーブ
５１        抵触部
５２        第２弾性部材
６        玩具銃
６１        銃身
６２        チャンバー
６３        弾丸通路
６４        リヤストッパーブロック
６５        フロントストッパーブロック
【図１】
0003223638.tif 000003
【図２】
0003223638.tif 000004
【図３】
0003223638.tif 000005
【図４】
0003223638.tif 000006
【図５】
0003223638.tif 000007
【図６】
0003223638.tif 000008
【図７】
0003223638.tif 000009
【図８】
0003223638.tif 000010
【図９】
0003223638.tif 000011
【図１０】
0003223638.tif 000012
【図１１】
0003223638.tif 000013
【図１２】
0003223638.tif 000014
【手続補正書】
【提出日】令和1年8月16日(2019.8.16)
【手続補正１】
【補正対象書類名】実用新案登録請求の範囲
【補正対象項目名】全文
【補正方法】変更
【補正の内容】
【実用新案登録請求の範囲】
【請求項１】
玩具銃内において、該玩具銃の銃身の一方の側に摺動自在に設ける遊底本体と、
該遊底本体と該銃身との間に着脱自在に設ける弾丸推進部材と、
該弾丸推進部材の一方の側に形成し、該弾丸推進部材からの高圧の気体の出入力に供する高圧気体口と、
該弾丸推進部材の前端部に形成する排気口と、
該弾丸推進部材上に設け、該排気口を閉鎖して高圧の気体の流れる方向を変更するバルブ部材と、
該遊底本体内に形成し、高圧の気体を入力する場合に該遊底本体を推進するピストンと、
該玩具銃上であって、かつ該遊底本体の一方の側に設ける摺動桿体と、
該摺動桿体上に嵌設する第１弾性部材と、
該遊底本体の一方の側において、該摺動桿体が着脱自在に挿入されるように設けられ、かつ該第１弾性体に抵触する遊底スリーブと、
該遊底スリーブ上に形成され、該遊底本体が後方に移動する場合に該弾丸推進部材を連動させて移動させる少なくとも１以上の抵触部と、を含んでなることを特徴とする玩具銃の遊底スライド構造。
【請求項２】
前記玩具銃に、該摺動桿体の固定に供するリヤストッパーブロックを設けることを特徴とする請求項１に記載の玩具銃の遊底スライド構造。
【請求項３】
前記玩具銃に、該遊底スリーブの一方の側に位置し、該遊底スリーブのリバウンドの動作を制限するフロントストッパーブロックを設けることを特徴とする請求項１に記載の玩具銃の遊底スライド構造。
【請求項４】
前記バルブ部材が、該弾丸推進部材内に設けるバルブバネと、該バルブバネの一方の側に設ける可動部材と、可動部材の該バルブバネ側とは逆の側に形成する気密部と、及び該可動部材上に形成されて該高気圧気体口と該排気口とを連通させるために供する少なくとも１以上の通過孔部とを具えてなることを特徴とする請求項１に記載の玩具銃の遊底スライド構造。
【請求項５】
前記弾丸推進部材内に、該気密部に当接して位置の制限を行なう位置制限部を具えることを特徴とする請求項４に記載の玩具銃の遊底スライド構造。
【請求項６】
前記遊底スリーブが、該第１弾性部材の一方の側に位置して該弾丸推進部材を前方に推しだす第２弾性部材を具えることを特徴とする請求項１に記載の玩具銃の遊底スライド構造。
【請求項７】
前記該弾丸推進部材が少なくとも１以上の連動端を具え、
該遊底本体の一方の側に少なくとも１以上の連動溝が形成され、
該連動溝に該連動端が収納されて前方に向かって推されて移動することを特徴とする請求項１に記載の玩具銃の遊底スライド構造。
【請求項８】
該銃身の後端部であって、かつ該弾丸推進部材の一方の側に位置する部分にチャンバーを形成し、かつ該チャンバーの一方の側に弾丸通路を形成することを特徴とする請求項１に記載の玩具銃の遊底スライド構造。
【手続補正２】
【補正対象書類名】明細書
【補正対象項目名】０００５
【補正方法】変更
【補正の内容】
【０００５】
この考案による玩具銃の遊底スライド構造は、玩具銃内において、該玩具銃の銃身の一方の側に摺動自在に設ける遊底本体と、該遊底本体と該銃身との間に着脱自在に設ける弾丸推進部材と、該弾丸推進部材の一方の側に形成し、該弾丸推進部材からの高圧の気体の出入力に供する高圧気体口と、該弾丸推進部材の前端部に形成する排気口と、該弾丸推進部材上に設け、該排気口を閉鎖して高圧の気体の流れる方向を変更するバルブ部材と、該遊底本体内に形成し、高圧の気体を入力する場合に該遊底本体を推進するピストンと、該玩具銃上であって、かつ該遊底本体の一方の側に設ける摺動桿体と、該摺動桿体上に嵌設する第１弾性部材と、該遊底本体の一方の側において、該摺動桿体が着脱自在に挿入されるように設けられ、かつ該第１弾性体に抵触する遊底スリーブと、該遊底スリーブ上に形成され、該遊底本体が後方に移動する場合に該弾丸推進部材を連動させて移動させる少なくとも１以上の抵触部と、を含んでなる。
【手続補正３】
【補正対象書類名】明細書
【補正対象項目名】００１９
【補正方法】変更
【補正の内容】
【００１９】
また、遊底構造部１００は、遊底スリーブ５上に形成され、遊底本体１が後方に移動する場合に弾丸推進部材を連動させて移動させる抵触部５１を具える。